(57)【要約】【課題】  待機時の消費電力を低減する。【解決手段】  電圧変換を行うトランスＴ１を有し、電源スイッチＳＷ１が接続され、被駆動回路１７にロジック電源回路１８を介して駆動電力を供給する電源回路１０は、商用交流電力を変換して得られる第１直流電力およびトランスＴ１の二次側出力電圧が所定出力電圧に維持されている場合にトランスＴ１からの供給電力に基づいて第１直流電力の電圧よりも低い電圧を有する第２直流電力が供給され、第１直流電力および第２直流電力が供給されている場合には第２直流電力で動作するとともに、二次側出力電圧を所定出力電圧に維持する二次側電圧制御回路１２と、電源スイッチＳＷ１のオフ時にロジック電源回路１８の駆動電力の出力を禁止する出力禁止回路１６と、を備える。【選択図】      図１
2005278272.tif 000002
【特許請求の範囲】
【請求項１】
電圧変換を行うトランスを有し、電源スイッチが接続され、被駆動回路にロジック電源回路を介して駆動電力を供給する電源回路において、
商用交流電力を変換して得られる第１直流電力および前記トランスの二次側出力電圧が所定出力電圧に維持されている場合に前記トランスからの供給電力に基づいて前記第１直流電力の電圧よりも低い電圧を有する第２直流電力が供給され、前記第１直流電力および前記第２直流電力が供給されている場合には前記第２直流電力で動作するとともに、前記二次側出力電圧を前記所定出力電圧に維持する二次側電圧制御回路と、
前記電源スイッチのオフ時に前記ロジック電源回路の前記駆動電力の出力を禁止する出力禁止回路と、
を備えたことを特徴とする電源回路。
【請求項２】
被駆動回路にロジック電源回路を介して駆動電力を供給する電源回路において、
商用交流電力を変換して第１直流電力を供給する第１電源と、
前記第１直流電力の電圧変換を行い前記ロジック電源回路に供給するトランスと、
前記トランスの二次側出力電圧が所定出力電圧に維持されている場合に、前記トランスからの供給電力に基づいて前記第１直流電力の電圧よりも低い電圧を有する第２直流電力を供給可能な第２電源と、
電源スイッチのオフ時に前記ロジック電源回路の前記駆動電力の出力を禁止する出力禁止回路と、
前記二次側出力電圧を監視し、電圧制御信号を出力する電圧監視回路と、
前記第１直流電力が供給される第１電源端子および前記第２直流電力が供給される第２電源端子を有し、前記第１直流電力および前記第２直流電力が供給されている場合には、前記第２直流電力で動作し、前記商用交流電力が供給されている状態で前記電圧制御信号に基づいて前記二次側出力電圧を前記所定出力電圧に維持する二次側電圧制御回路と、
を備えたことを特徴とする電源回路。
【請求項３】
請求項１または請求項２記載の電源回路において、
前記ロジック電源回路は、前記駆動電力の供給可否を制御可能な動作制御端子を有し、
前記出力禁止回路は、前記駆動電源スイッチのオフ時に前記動作制御端子に前記駆動電力の供給を禁止するための動作制御信号を出力する、
ことを特徴とする電源回路。
【請求項４】
請求項１ないし請求項３のいずれかに記載の電源回路において、
前記第２電源は、前記トランスからの供給電力を蓄電して前記第２直流電力を供給するコンデンサを備えていることを特徴とする電源回路。
【請求項５】
請求項１ないし請求項４のいずれかに記載の電源回路において、
前記二次側電圧制御回路は、前記第１直流電力の供給電力量を制御する供給電力量制御回路を備えていることを特徴とする電源回路。
【請求項６】
電圧変換を行うトランスおよび前記トランスの二次側出力電圧を所定出力電圧に維持する二次側電圧制御回路を有し、電源スイッチが接続され、被駆動回路にロジック電源回路を介して駆動電力を供給する電源回路の制御方法において、
前記二次側電圧制御回路に商用交流電力を変換して得られる第１直流電力を供給する第１直流電力供給過程と、
前記トランスの二次側出力電圧が所定出力電圧に維持されている場合に前記トランスからの供給電力に基づいて前記第１直流電力の電圧よりも低い電圧を有する第２直流電力を供給する第２直流電力供給過程と、
前記第１直流電力および前記第２直流電力が供給されている場合には前記第２直流電力で前記二次側電圧制御回路を動作させる電圧制御過程と、
前記電源スイッチのオフ時に前記ロジック電源回路の前記駆動電力の出力を禁止する出力禁止過程と、
を備えたことを特徴とする電源回路の制御方法。
【発明の詳細な説明】
【技術分野】
【０００１】
本発明は、電源回路および電源回路の制御方法に係り、特に待機時（電源オフ時）の消費電力を低減するための技術に関する。
【背景技術】
【０００２】
従来より各種電源回路が知られており、待機時の省電力を低減することが可能な電源回路も知られている（例えば、特許文献１参照）。
ここで、従来の電源回路を具体的に説明する。
【０００３】
図３は、従来の電源回路の回路図である。
電源回路１００は、大別すると、商用交流電力を変換して第１直流電力を供給する第１電源回路１０１と、第１電源回路１０１からの第１直流電力の電圧変換を行い前記ロジック電源回路に供給するトランスＴ１と、電圧制御信号に基づいてトランスＴ１の二次側出力電圧が所定出力電圧となるように制御する二次側電圧制御回路１０２と、トランスＴ１からの供給電力に基づいて第１直流電力の電圧よりも低い電圧を有する第２直流電力を供給する第２電源回路１０３と、トランスＴ１の二次側出力電圧を監視し、電圧制御信号を二次側電圧制御回路１０２に出力する電圧監視回路１０４と、二次側出力電圧を所定の電圧に設定する電圧設定回路１０５と、電源スイッチのオフ時に二次側出力電圧を待機時電圧とするための二次側出力電圧制御回路１０６と、二次側出力電圧のＤＣ−ＤＣ変換を行って、被駆動回路１０７に駆動電力として供給するロジック電源回路１０８と、を備えている。
【０００４】
第１電源回路１０１は、商用交流電力を直流電力に変換するダイオードブリッジ整流回路１１０と、ダイオードブリッジ整流回路の両出力端間に接続され、整流後の直流電力を蓄えるためのコンデンサＣ１を備えている。
トランスＴ１は、第１一次側コイルＬ１１と、第２一次側コイルＬ１２と、二次側コイルＬ２と、を備えている。
二次側電圧制御回路１０２は、ＮチャネルＭＯＳトランジスタＱ１と、制御回路ＩＣ１と、を備えている。
ここで、ＮチャネルＭＯＳトランジスタＱ１のドレイン端子は、トランスＴ１の第１一次側コイルＬ１１の一端に接続されており、ソース端子は、ダイオードブリッジ整流回路１０１の低電位側出力端に接続されている。
【０００５】
制御回路ＩＣ１は、第１電源端子ＶＣＣ１、第２電源端子ＶＣＣ２、二次側出力電圧制御端子ＯＵＴ、グランド端子ＧＮＤおよび電圧制御信号入力端子ＦＢが設けられている。第１電源端子ＶＣＣ１は、ダイオードブリッジ整流回路１０１の高電位側出力端に接続されている。第２電源端子ＶＣＣ２は、第２電源回路１０３を構成するコンデンサＣ２が接続されている。二次側出力電圧制御端子ＯＵＴは、ＮチャネルＭＯＳトランジスタＱ１のゲート端子に接続されている。グランド端子ＧＮＤは、ダイオードブリッジ整流回路１０１の低電位側出力端に接続されている。電圧制御信号入力端子ＦＢは、電圧監視回路１０４からの電圧制御信号が入力される。
【０００６】
第２電源回路１０３は、逆流防止ダイオードＤ１およびコンデンサＣ２を備えている。
ここで、逆流防止ダイオードＤ１のアノードは、トランスＴ１の第２一次側コイルＬ１２に接続され、カソードは第２電源端子ＶＣＣ２に接続されている。コンデンサＣ２の一端は第２電源端子ＶＣＣ２に接続され、他端はダイオードブリッジ整流回路１０１の低電位側出力端に接続されている。
この結果、第２電源回路１０３は、逆流防止ダイオードＤ１を介して、トランスＴ１の第２一次側コイルＬ１２から電力の供給を受けると、第１直流電力の電圧（例えば、１４０Ｖ）よりも低い電圧（例えば２０Ｖ）を有する第２直流電力を第２電源端子ＶＣＣ２に供給することとなる。
【０００７】
電圧監視回路１０４は、二次側出力電圧安定化を行うコンデンサＣ３の両端電圧をトランスＴ１の二次側出力電圧として監視し、電圧制御信号を二次側電圧制御回路１０２に出力するフォトカプラＰＣ１を備えている。このフォトカプラＰＣ１を構成するＬＥＤのアノード端子は、コンデンサＣ３の一方の端子に接続され、カソード端子は、後述する電圧設定回路１０５を構成するツェナーダイオードのカソード端子に接続されている。また、フォトカプラＰＣ１を構成するフォトトランジスタのコレクタ端子は、制御回路ＩＣ１の電圧制御信号入力端子ＦＢに接続され、エミッタ端子は、ダイオードブリッジ整流回路１０１の低電位側出力端に接続されている。
【０００８】
電圧設定回路１０５は、二次側出力電圧の基準電圧値設定のためのツェナーダイオードＺＤ１を備え、ツェナーダイオードＺＤ１のアノードは、コンデンサＣ３の低電位側端子に接続され、カソードは、上述したようにフォトカプラＰＣ１を構成するＬＥＤのカソード端子に接続されている。
二次側出力電圧制御回路１０６は、電源スイッチのオフ時に二次側出力電圧を待機時電圧とするためのバイポーラトランジスタＱ２を備えている。バイポーラトランジスタＱ２のコレクタ端子は、電流制限抵抗Ｒ１を介してフォトカプラＰＣ１を構成するＬＥＤのカソード端子に接続され、エミッタ端子は、コンデンサＣ３の低電位側端子に接続され、ベース端子は、電流制限抵抗Ｒ２を介してコンデンサＣ３の高電位側端子に接続されている。  ロジック電源回路１０８は、入力端子Ｉ、出力端子Ｏ、グランド端子Ｇを備え、入力端子Ｉは、コンデンサＣ３の高電位側端子に接続され、出力端子は、被駆動回路１０７の電源端子ＶＤＤに接続され、グランド端子Ｇは、コンデンサＣ３の低電位側端子に接続されている。
【０００９】
次に従来例の動作を説明する。
電源スイッチＳＷ１がオフ状態（開状態）で商用交流電力が供給されると、ダイオードブリッジ整流回路１０１を介してコンデンサＣ１には、商用交流電力の電圧の√２倍の電圧が生じることとなる。
このとき、制御回路ＩＣ１の第１電源端子ＶＣＣ１に電流が供給され、二次側出力電圧制御端子ＯＵＴを介してＮチャネルＭＯＳトランジスタＱ１のスイッチングを行い、スイッチングの周波数を制御することで、トランスＴ１の第１一次側コイルＬ１１に供給される実効的な電流量を制御することとなる。
これに伴い、トランスＴ１の二次側出力電圧が上昇し、コンデンサＣ３の電圧が徐々に上昇することとなる。
【００１０】
さらに、このコンデンサＣ３の電圧が、所定の待機時電圧（例えば、２〜３Ｖ）に至ると、電流制御抵抗Ｒ２を介してバイポーラトランジスタＱ２のベースに伝達され、バイポーラトランジスタＱ２がオン状態となり、電流制限抵抗Ｒ１およびフォトカプラＰＣ１を構成するＬＥＤに電流が流れ、フォトカプラＰＣ１から電圧上昇を抑制するための電圧制御信号が制御回路ＩＣ１の電圧制御信号入力端子ＦＢに入力される。
この結果、制御回路ＩＣ１は、トランスＴ１の二次側出力電圧が待機時電圧で安定するようにＮチャネルＭＯＳトランジスタＱ１を制御することとなる。
【００１１】
その後、電源スイッチＳＷ１（常開スイッチ）がオン状態（閉状態）とされると、バイポーラトランジスタＱ２はオフ状態となり、フォトカプラＰＣ１から電圧上昇を抑制するための電圧制御信号が出力されなくなるため、制御回路ＩＣ１は、トランスＴ１の二次側出力電圧を上昇させるべく制御を行うこととなる。
トランスＴ１の二次側出力電圧が所定電圧以上となると、ロジック電源回路１０８が動作し、被駆動回路１０７にロジック電源（例えば、５Ｖ、３．３Ｖ、１．５Ｖなど）が供給され、被駆動回路１０７が動作を開始することとなる。
この結果、被駆動回路１０７は、電源スイッチＳＷ１がオン状態であるので、バイポーラトランジスタＱ３をオン状態とし、その後、電源スイッチＳＷから手が離されて、オフ状態（開状態）となっても、バイポーラトランジスタＱ２のオフ状態を継続させる。
【００１２】
そして、トランスＴ１の二次側出力電圧が高くなり、所定の二次側出力電圧となると、ツェナーダイオードＺＤ１に電流が流れ、再び、電流制限抵抗Ｒ１およびフォトカプラＰＣ１を構成するＬＥＤに電流が流れ、フォトカプラＰＣ１から電圧上昇を抑制するための電圧制御信号が制御回路ＩＣ１の電圧制御信号入力端子ＦＢに入力される。
この結果、制御回路ＩＣ１は、トランスＴ１の二次側出力電圧が所定の二次側出力電圧（例えば、４２Ｖ）で安定するようにＮチャネルＭＯＳトランジスタＱ１を制御することとなる。
この結果、コンデンサＣ２も第２一次側コイルＬ１２により充電され、所定の第２電源電圧（例えば、２０Ｖ）となるため、制御回路ＩＣ１は、第２電源端子ＶＣＣ２からの電力により動作することとなる。
【特許文献１】特開２００２−１１９０５１号公報
【発明の開示】
【発明が解決しようとする課題】
【００１３】
ここで、上記従来の電源回路の問題点について説明する。
商用交流電力の電圧を１２０Ｖとすると、コンデンサＣ１の端子間電圧は、
１２０×√２≒１６９Ｖ
となる。従って、制御回路ＩＣ１の消費電流を１ｍＡとすると、電源スイッチＳＷ１のオフ時における制御回路ＩＣ１の消費電力は、
１６９Ｖ×１ｍＡ＝１６９ｍＷ
となる。
【００１４】
この場合において、コンデンサＣ２は、充電されないため、第２電源回路から制御回路ＩＣ１に電源が供給されることはないが、第２電源回路から電源スイッチＳＷ１のオフ時の電力を供給したと仮定すると、コンデンサＣ２の両端電圧が所定の第２電源電圧（例えば、２０Ｖ）の場合に、制御回路ＩＣ１の消費電流を１ｍＡとすると、電源スイッチＳＷ１のオフ時における制御回路ＩＣ１の消費電力は、
２０Ｖ×１ｍＡ＝２０ｍＡ
となり、消費電力を低減できることが分かる。
そこで、本発明の目的は、待機時の消費電力を低減することが可能な電源回路および電源回路の制御方法を提供することにある。
【課題を解決するための手段】
【００１５】
上記課題を解決するため、電圧変換を行うトランスを有し、電源スイッチが接続され、被駆動回路にロジック電源回路を介して駆動電力を供給する電源回路は、商用交流電力を変換して得られる第１直流電力および前記トランスの二次側出力電圧が所定出力電圧に維持されている場合に前記トランスからの供給電力に基づいて前記第１直流電力の電圧よりも低い電圧を有する第２直流電力が供給され、前記第１直流電力および前記第２直流電力が供給されている場合には前記第２直流電力で動作するとともに、前記二次側出力電圧を前記所定出力電圧に維持する二次側電圧制御回路と、前記電源スイッチのオフ時に前記ロジック電源回路の前記駆動電力の出力を禁止する出力禁止回路と、を備えたことを特徴としている。
上記構成によれば、二次側電圧制御回路は、第１直流電力および第２直流電力が供給されている場合には第２直流電力で動作するとともに、二次側出力電圧を所定出力電圧に維持する。
これと並行して出力禁止回路は、電源スイッチのオフ時にロジック電源回路の駆動電力の出力を禁止する。
【００１６】
また、被駆動回路にロジック電源回路を介して駆動電力を供給する電源回路は、商用交流電力を変換して第１直流電力を供給する第１電源と、前記第１直流電力の電圧変換を行い前記ロジック電源回路に供給するトランスと、前記トランスの二次側出力電圧が所定出力電圧に維持されている場合に、前記トランスからの供給電力に基づいて前記第１直流電力の電圧よりも低い電圧を有する第２直流電力を供給可能な第２電源と、電源スイッチのオフ時に前記ロジック電源回路の前記駆動電力の出力を禁止する出力禁止回路と、前記二次側出力電圧を監視し、電圧制御信号を出力する電圧監視回路と、前記第１直流電力が供給される第１電源端子および前記第２直流電力が供給される第２電源端子を有し、前記第１直流電力および前記第２直流電力が供給されている場合には、前記第２直流電力で動作し、前記商用交流電力が供給されている状態で前記電圧制御信号に基づいて前記二次側出力電圧を前記所定出力電圧に維持する二次側電圧制御回路と、を備えたことを特徴としている。
【００１７】
上記構成によれば、第１電源は、商用交流電力を変換して第１直流電力を二次側電圧制御回路に供給する。
トランスは、第１直流電力の電圧変換を行いロジック電源回路の第１電源端子に供給する。
第２電源は、トランスの二次側出力電圧が所定出力電圧に維持されている場合に、トランスからの供給電力に基づいて第２直流電力を第２電源端子に供給する。
これらにより、二次側電圧制御回路は、第１直流電力および第２直流電力が供給されている場合には、第２直流電力で動作し、商用交流電力が供給されている状態で電圧制御信号に基づいて二次側出力電圧を所定出力電圧に維持する。
これと並行して、出力禁止回路は、電源スイッチのオフ時にロジック電源回路の駆動電力の出力を禁止する。
【００１８】
これらの場合において、前記ロジック電源回路は、前記駆動電力の供給可否を制御可能な動作制御端子を有し、前記出力禁止回路は、前記駆動電源スイッチのオフ時に前記動作制御端子に前記駆動電力の供給を禁止するための動作制御信号を出力するようにしてもよい。
また、前記第２電源は、前記トランスからの供給電力を蓄電して前記第２直流電力を供給するコンデンサを備えているようにしてもよい。
さらに、前記二次側電圧制御回路は、前記第１直流電力の供給電力量を制御する供給電力量制御回路を備えているようにしてもよい。
【００１９】
また、電圧変換を行うトランスおよび前記トランスの二次側出力電圧を所定出力電圧に維持する二次側電圧制御回路を有し、電源スイッチが接続され、被駆動回路にロジック電源回路を介して駆動電力を供給する電源回路の制御方法は、前記二次側電圧制御回路に商用交流電力を変換して得られる第１直流電力を供給する第１直流電力供給過程と、前記トランスの二次側出力電圧が所定出力電圧に維持されている場合に前記トランスからの供給電力に基づいて前記第１直流電力の電圧よりも低い電圧を有する第２直流電力を供給する第２直流電力供給過程と、前記第１直流電力および前記第２直流電力が供給されている場合には前記第２直流電力で前記二次側電圧制御回路を動作させる電圧制御過程と、前記電源スイッチのオフ時に前記ロジック電源回路の前記駆動電力の出力を禁止する出力禁止過程と、を備えたことを特徴としている。
【発明を実施するための最良の形態】
【００２０】
次に図面を参照して、本発明の好適な実施の形態について説明する。
図１は、実施形態の電源回路の回路図である。
電源回路１０は、大別すると、商用交流電力を変換して第１直流電力を供給する第１電源回路１１と、第１電源回路１１からの第１直流電力の電圧変換を行い後述するロジック電源回路１８に供給するトランスＴ１と、電圧制御信号に基づいてトランスＴ１の二次側出力電圧が所定出力電圧となるように制御する二次側電圧制御回路１２と、トランスＴ１からの供給電力に基づいて第１直流電力の電圧よりも低い電圧を有する第２直流電力を供給する第２電源回路１３と、トランスＴ１の二次側出力電圧を監視し、電圧制御信号を二次側電圧制御回路１２に出力する電圧監視回路１４と、二次側出力電圧を所定の電圧に設定する電圧設定回路１５と、電源スイッチのオフ時にロジック電源回路１８の駆動電力の出力を禁止する出力禁止回路１６と、二次側出力電圧のＤＣ−ＤＣ変換を行って、被駆動回路１７に駆動電力として供給するロジック電源回路１８と、を備えている。
【００２１】
第１電源回路１１は、商用交流電力を直流電力に変換するダイオードブリッジ整流回路１１Ａと、ダイオードブリッジ整流回路の両出力端間に接続され、整流後の直流電力を蓄えるためのコンデンサＣ１を備えている。
トランスＴ１は、第１一次側コイルＬ１１と、第２一次側コイルＬ１２と、二次側コイルＬ２と、を備えている。
二次側電圧制御回路１２は、ＮチャネルＭＯＳトランジスタＱ１と、制御回路ＩＣ１と、を備えている。
【００２２】
ここで、ＮチャネルＭＯＳトランジスタＱ１のドレイン端子は、トランスＴ１の第１一次側コイルＬ１１の一端に接続されており、ソース端子は、ダイオードブリッジ整流回路１０１の低電位側出力端に接続されている。
制御回路ＩＣ１は、第１電源端子ＶＣＣ１、第２電源端子ＶＣＣ２、二次側出力電圧制御端子ＯＵＴ、グランド端子ＧＮＤおよび電圧制御信号入力端子ＦＢが設けられている。第１電源端子ＶＣＣ１は、ダイオードブリッジ整流回路１１Ａの高電位側出力端に接続されている。第２電源端子ＶＣＣ２は、第２電源回路１３を構成するコンデンサＣ２が接続されている。二次側出力電圧制御端子ＯＵＴは、ＮチャネルＭＯＳトランジスタＱ１のゲート端子に接続されている。グランド端子ＧＮＤは、ダイオードブリッジ整流回路１１Ａの低電位側出力端に接続されている。電圧制御信号入力端子ＦＢは、電圧監視回路１４からの電圧制御信号が入力される。
【００２３】
第２電源回路１３は、逆流防止ダイオードＤ１およびコンデンサＣ２を備えている。
ここで、逆流防止ダイオードＤ１のアノードは、トランスＴ１の第２一次側コイルＬ１２に接続され、カソードは第２電源端子ＶＣＣ２に接続されている。コンデンサＣ２の一端は第２電源端子ＶＣＣ２に接続され、他端はダイオードブリッジ整流回路１１Ａの低電位側出力端に接続されている。
この結果、第２電源回路１３は、逆流防止ダイオードＤ１を介して、トランスＴ１の第２一次側コイルＬ１２から電力の供給を受けると、第１直流電力の電圧（例えば、１４０Ｖ）よりも低い電圧（例えば２０Ｖ）を有する第２直流電力を第２電源端子ＶＣＣ２に供給することとなる。
【００２４】
電圧監視回路１４は、二次側出力電圧安定化を行うコンデンサＣ３の両端電圧をトランスＴ１の二次側出力電圧として監視し、電圧制御信号を二次側電圧制御回路１０２に出力するフォトカプラＰＣ１を備えている。このフォトカプラＰＣ１を構成するＬＥＤのアノード端子は、コンデンサＣ３の一方の端子に接続され、カソード端子は、後述する電圧設定回路１０５を構成するツェナーダイオードのカソード端子に接続されている。また、フォトカプラＰＣ１を構成するフォトトランジスタのコレクタ端子は、制御回路ＩＣ１の電圧制御信号入力端子ＦＢに接続され、エミッタ端子は、ダイオードブリッジ整流回路１１Ａの低電位側出力端に接続されている。
【００２５】
電圧設定回路１５は、二次側出力電圧の基準電圧値設定のためのツェナーダイオードＺＤ１を備え、ツェナーダイオードＺＤ１のアノードは、コンデンサＣ３の低電位側端子に接続され、カソードは、上述したようにフォトカプラＰＣ１を構成するＬＥＤのカソード端子に接続されている。
出力禁止回路１６は、ロジック電源ＩＣ２を停止状態とするための、バイポーラトランジスタＱ２を備えている。バイポーラトランジスタＱ２のコレクタ端子は、ロジック電源回路ＩＣ２の電圧制御端子ＶＣに接続され、エミッタ端子は、コンデンサＣ３の低電位側端子に接続され、ベース端子は、電流制限抵抗Ｒ２を介してコンデンサＣ３の高電位側端子に接続されている。
【００２６】
ロジック電源回路１８は、入力端子Ｖｉｎ、出力端子ＶＯ、電圧制御端子ＶＣ、グランド端子ＧＮＤを備え、入力端子Ｖｉｎ、コンデンサＣ３の高電位側端子に接続され、出力端子ＶＯは、被駆動回路１７の電源端子ＶＤＤに接続され、電圧制御端子ＶＣは、バイポーラトランジスタＱ２のコレクタ端子に接続され、グランド端子ＧＮＤは、コンデンサＣ３の低電位側端子に接続されている。
【００２７】
次に第１実施形態の動作を説明する。
電源スイッチＳＷ１がオフ状態（開状態）で商用交流電力が供給されると、ダイオードブリッジ整流回路１０１を介してコンデンサＣ１には、商用交流電力の電圧の√２倍の電圧が生じることとなる。
このとき、制御回路ＩＣ１の第１電源端子ＶＣＣ１に電流が供給され、二次側出力電圧制御端子ＯＵＴを介してＮチャネルＭＯＳトランジスタＱ１のスイッチングを行い、スイッチングの周波数を制御することで、トランスＴ１の第１一次側コイルＬ１１に供給される実効的な電流量を制御することとなる。
【００２８】
これに伴い、トランスＴ１の二次側出力電圧が上昇し、コンデンサＣ３の電圧が徐々に上昇することとなる。
これに伴い、バイポーラトランジスタＱ２はオン状態（閉状態）となり、ロジック電源回路１８の電圧制御端子ＶＣは、低電位となり、出力端子ＶＯからの被駆動回路１７への駆動電力の供給が禁止された状態となる。
【００２９】
一方、トランスＴ１の二次側出力電圧が高くなり、所定の二次側出力電圧となると、ツェナーダイオードＺＤ１に電流が流れ、再び、電流制限抵抗Ｒ１およびフォトカプラＰＣ１を構成するＬＥＤに電流が流れ、フォトカプラＰＣ１から電圧上昇を抑制するための電圧制御信号が制御回路ＩＣ１の電圧制御信号入力端子ＦＢに入力される。
この結果、制御回路ＩＣ１は、トランスＴ１の二次側出力電圧が所定の二次側出力電圧（例えば、４２Ｖ）で安定するようにＮチャネルＭＯＳトランジスタＱ１を制御することとなる。
この結果、コンデンサＣ２も第２一次側コイルＬ１２により充電され、所定の第２電源電圧（例えば、２０Ｖ）となるため、制御回路ＩＣ１は、第２電源端子ＶＣＣ２からの電力により動作することとなる。
【００３０】
その後、電源スイッチＳＷ１（常開スイッチ）がオン状態（閉状態）とされると、バイポーラトランジスタＱ２はオフ状態となり、ロジック電源回路１８の電圧制御端子ＶＣは、開放状態（ｏｐｅｎ状態）となり、出力端子ＶＯからの被駆動回路１７への駆動電力の供給が開始される。
すなわち、ロジック電源回路１８は、被駆動回路１７にロジック電源（例えば、５Ｖ、３．３Ｖ、１．５Ｖなどの供給を開始し、被駆動回路１７が動作を開始することとなる。
この結果、被駆動回路１７は、電源スイッチＳＷ１がオン状態であるので、バイポーラトランジスタＱ３をオン状態とし、その後、電源スイッチＳＷから手が離されて、オフ状態（開状態）となっても、バイポーラトランジスタＱ２のオフ状態を継続させる。
【００３１】
その後、再び、ユーザが電源スイッチＳＷ１をオン状態とすると、バイポーラトランジスタＱ２はオン状態（閉状態）となり、ロジック電源回路１８の電圧制御端子ＶＣは、低電位となり、出力端子ＶＯからの被駆動回路１７への駆動電力の供給が禁止された状態となる。これにより、被駆動回路１７は動作を停止する（電源オフ状態）。
以上の説明のように、本第１実施形態によれば、制御回路ＩＣ１は、商用交流電源への接続時（コンセントへの電源プラグの挿入時）を除き、第２電源であるコンデンサＣ２からの電力で動作するので、すなわち、商用交流電力を変換して得られる第１直流電力の電圧（例えば、１６９Ｖ）よりも低い電圧（例えば、２０Ｖ）で動作する。
この場合に、トランスＴ１の二次側出力電圧は所定出力電圧（上述の例の場合、４２Ｖ）で維持されることとなるが、出力禁止回路として機能するバイポーラトランジスタＱ２により、ロジック電源回路１８の駆動電力の出力が禁止されているので、被駆動回路１７により電力が消費されることはない。
従って、本実施形態によれば、待機時の消費電力を低減することが可能となる。
【００３２】
図２は実施形態の変形例の電源回路の回路図である。
図２の変形例が図１の実施形態と異なる点は、２個の接点を有するスイッチで構成された電源スイッチＳＷ１に代えて、１個の接点を有するスイッチＳＷ１１、このスイッチと抵抗Ｒ３との間に接続された第１のダイオードＤ３１およびこのスイッチと抵抗Ｒ２との間に接続された第２のダイオードＤ３２を備え、スイッチの接点数を減らして同機能を実現し、製造コスト削減を図った点である。
他の動作については、図１の実施形態と同一であるので、詳細な説明は省略する。
以上の説明においては、制御回路ＩＣ１以外の消費電力については、考慮していなかったが、より待機時の消費電力を低減するためには、トランスの二次側出力電圧（上述した４２Ｖ）が供給される回路の待機時の消費電力を非常に低減させる（非常に低負荷とする）ことが望ましい。
【図面の簡単な説明】
【００３３】
【図１】実施形態の電源回路の回路図である。
【図２】実施形態の変形例の電源回路の回路図である。
【図３】従来の電源回路の回路図である。
【符号の説明】
【００３４】
１０…電源回路、１１…第１電源回路、１２…二次側電圧制御回路、１３…第２電源回路、１４…電圧監視回路、１５…電圧設定回路、１６…出力禁止回路、１７…被駆動回路、１８…ロジック電源回路、ＩＣ１…制御回路（二次側電圧制御回路）、Ｑ１…ＮチャネルＭＯＳトランジスタ（二次側電圧制御回路）、Ｑ２…バイポーラトランジスタ（二次側電圧制御回路）、Ｔ１…トランス
【図１】
2005278272.tif 000003
【図２】
2005278272.tif 000004
【図３】
2005278272.tif 000005